(57)【要約】【課題】コンテンツのダウンロードを様々な場所にて短時間で行うことを可能とする。【解決手段】移動通信装置１からコンテンツサーバ２に対して第１の無線通信システム３を介して所望コンテンツのダウンロード予約情報を送信し、このダウンロード予約情報をコンテンツサーバ３が受信する。移動通信装置１の第２のサービスエリア５内への移動時に移動通信装置１から第２の通信システム５を介してコンテンツサーバ２に所望コンテンツのダウンロード要求を送信し、このダウンロード要求をコンテンツサーバ２が受信する。コンテンツサーバ２が、受信されたダウンロード予約情報およびダウンロード要求に従って、所望コンテンツを第２の通信システム５を介して移動端末装置１に送信し、この所望コンテンツを移動通信装置１が受信する。【選択図】    図１
2005026977.tif 000002
【特許請求の範囲】
【請求項１】
第１のサービスエリアおよび第１のデータ転送速度を有する第１の無線通信システムと、前記第１のサービスエリアより狭い第２のサービスエリアおよび前記第１のデータ転送速度より高速の第２のデータ転送速度を有する第２の無線通信システムを介して、コンテンツを提供するコンテンツサーバと移動通信装置との間で予約配信を行うコンテンツ予約配信システムにおいて、
前記移動通信装置は、
前記コンテンツサーバに対して前記第１の無線通信システムを介して所望コンテンツのダウンロード予約情報を送信する手段と、
前記第２の通信システムを介して前記コンテンツサーバに前記所望コンテンツのダウンロード要求を送信する要求送信手段と、
前記コンテンツサーバから前記第２の通信システムを介して送信される所望コンテンツを受信する手段とを有し、
前記コンテンツサーバは、
前記ダウンロード予約情報を受信する手段と、
前記ダウンロード要求を受信する手段と、
受信されたダウンロード予約情報およびダウンロード要求に従って、前記所望コンテンツを前記第２の通信システムを介して前記移動端末装置に送信する手段とを有することを特徴とするコンテンツ予約配信システム。
【請求項２】
前記コンテンツサーバは、
前記ダウンロード予約情報が受信されたことに応じて、前記移動通信装置に対して前記第１の無線通信システムを介して利用許諾データを送信する利用許諾送信手段をさらに有し、
前記移動通信装置は、
前記利用許諾データを受信する手段をさらに有し、
前記要求送信手段は受信された利用許諾データを前記ダウンロード要求に含めることを特徴とする請求項１に記載のコンテンツ予約配信システム。
【請求項３】
前記コンテンツサーバは、
前記ダウンロード予約情報が受信されたことに応じて、前記移動通信装置に対して前記第１の無線通信システムを介して前記コンテンツサーバのアドレスを示すアドレス情報を送信する手段をさらに有し、
前記移動通信装置は、
前記アドレス情報を受信する手段をさらに有し、
前記要求送信手段は受信されたアドレス情報が示すアドレス宛てで前記ダウンロード要求を送信することを特徴とする請求項１に記載のコンテンツ予約配信システム。
【請求項４】
第１のサービスエリアおよび第１のデータ転送速度を有する第１の無線通信システムと、前記第１のサービスエリアより狭い第２のサービスエリアおよび前記第１のデータ転送速度より高速の第２のデータ転送速度を有する第２の無線通信システムを介して、コンテンツを提供するコンテンツサーバと移動通信装置との間で予約配信を行うコンテンツ予約配信方法において、
前記移動通信装置から前記コンテンツサーバに対して前記第１の無線通信システムを介して所望コンテンツのダウンロード予約情報を送信し、
前記コンテンツサーバが前記ダウンロード予約情報を受信し、
前記移動通信装置から前記第２の通信システムを介して前記コンテンツサーバに前記所望コンテンツのダウンロード要求を送信し、
前記コンテンツサーバが前記ダウンロード要求を受信し、
前記コンテンツサーバが受信されたダウンロード予約情報およびダウンロード要求に従って、前記所望コンテンツを前記第２の通信システムを介して前記移動端末装置に送信し、
前記移動通信装置が前記コンテンツサーバから前記第２の通信システムを介して送信される所望コンテンツを受信することを特徴とするコンテンツ予約配信方法。
【請求項５】
第１のサービスエリアおよび第１のデータ転送速度を有する第１の無線通信システムと、前記第１のサービスエリアより狭い第２のサービスエリアおよび前記第１のデータ転送速度より高速の第２のデータ転送速度を有する第２の無線通信システムを介して、コンテンツを提供するコンテンツサーバと通信可能な移動通信装置であって、
前記コンテンツサーバに対して、前記第１の無線通信システムを介して所望コンテンツのダウンロードを予約する手段と、
前記第２の通信システムを介して前記コンテンツサーバに前記所望コンテンツの送信を指示する手段と、
前記コンテンツサーバから前記指示に応じて前記第２の通信システムを介して送信される所望コンテンツを受信する手段とを具備したことを特徴とする移動通信装置。
【請求項６】
前記コンテンツサーバから前記第２の通信システムを介して送信される利用許諾データを受信する手段をさらに具備し、
前記要求送信手段は受信された利用許諾データを前記ダウンロード要求に含めることを特徴とする請求項５に記載のコンテンツ予約配信システム。
【請求項７】
前記コンテンツサーバから前記第２の通信システムを介して送信されるアドレス情報を受信する手段をさらに具備し、
前記要求送信手段は受信されたアドレス情報が示すアドレス宛てで前記ダウンロード要求を送信することを特徴とする請求項５に記載のコンテンツ予約配信システム。
【請求項８】
第１のサービスエリアおよび第１のデータ転送速度を有する第１の無線通信システムと、前記第１のサービスエリアより狭い第２のサービスエリアおよび前記第１のデータ転送速度より高速の第２のデータ転送速度を有する第２の無線通信システムを介して、移動通信装置にコンテンツを提供するコンテンツサーバであって、
前記移動通信装置から前記第１の無線通信システムを介して送信される、所望コンテンツのダウンロード予約情報を受信する手段と、
前記移動通信装置から前記第２の通信システムを介して送信される、前記所望コンテンツのダウンロード要求を受信する手段と、
受信されたダウンロード予約情報およびダウンロード要求に従って、前記所望コンテンツを前記第２の通信システムを介して前記移動端末装置に送信する手段とを具備したことを特徴とするコンテンツサーバ。
【請求項９】
前記ダウンロード予約情報が受信されたことに応じて、前記移動通信装置に対して前記第１の無線通信システムを介して利用許諾データを送信する利用許諾送信手段をさらに具備することを特徴とする請求項８に記載のコンテンツサーバ。
【請求項１０】
前記利用許諾送信手段は、前記所望コンテンツに対応したコンテンツ識別情報と、前記移動通信装置のユーザに対応したユーザ識別情報と、認証鍵情報とを前記利用許諾データに含めることを特徴とする請求項９に記載のコンテンツサーバ。
【請求項１１】
前記ダウンロード予約情報が受信されたことに応じて、前記移動通信装置に対して前記第１の無線通信システムを介して前記コンテンツサーバのアドレスを示すアドレス情報を送信する手段をさらに具備することを特徴とする請求項８に記載のコンテンツサーバ。
【発明の詳細な説明】
【０００１】
【発明の属する技術分野】
本発明は、携帯情報端末などの移動通信装置に音楽、映像情報、新聞などのコンテンツをダウンロードするコンテンツ予約配信システム、コンテンツ予約配信方法、移動通信装置およびサーバ装置に関する。
【０００２】
【従来の技術】
近年、空港のロビー、駅、コーヒーショップなど人が集まる空間において無線ＬＡＮ（Ｌｏｃａｌ  Ａｒｅａ  Ｎｅｔｗｏｒｋ）が利用できるサービスが盛んに行われるようになってきた。本サービスは、一般的には標準規格に準拠した無線ＬＡＮインタフェースを備えるＰＣ（パーソナルコンピュータ）や携帯情報端末を用いてインターネットに接続するサービスである。ＩＥＥＥ８０２．１１ｂとして標準化された無線ＬＡＮのデータ転送速度は、最大１１Ｍｂ／ｓである。この無線ＬＡＮを用いれば、音楽、映像情報、新聞など大容量データを短時間でダウンロードできる。このように、無線ＬＡＮは、データ転送速度は高速であり無線免許不要というメリットを有している。一方、法律上電波出力を大きくすることができないため、無線ＬＡＮの基地局であるアクセスポイントから数１００ｍの距離までしかサービスできないという特徴もある。
【０００３】
この無線ＬＡＮを用いたサービスは、たとえば、電車の中などで携帯情報端末で新聞を読むために、駅で新聞記事を瞬時にダウンロードできるサービス、街角やコンビニストアなどで音楽をダウンロード可能なサービスなどに今後展開されると予想される。
【０００４】
しかしながらこの種のサービスにおいては、コンテンツのダウンロード自体は短時間で行うことが可能であったとしても、ダウンロードを開始する前の手続きに長時間を要してしまうおそれがあった。
【０００５】
たとえば、駅で新聞記事をダウンロードするサービスの場合を考える。携帯情報端末のユーザは、無線ＬＡＮエリアに入った後に、まず無線ＬＡＮアクセスポイントとの接続を開始する。接続が完了した時点で、携帯情報端末のユーザは、新聞記事をダウンロード可能なポータルサイト（インターネットの玄関口のような機能）に接続し、そこで、ＵＲＬ（ｕｎｉｆｏｒｍ  ｒｅｓｏｕｒｃｅ  ｌｏｃａｔｏｒ）をクリックする。さらに、課金情報を入力することにより本人認証が行われて、初めてダウンロードがスタートする。以上のような操作に必要な時間は、紙媒体による旧来からの新聞を駅にて購入するのに要する時間の数倍から数十倍もかかってしまう。このダウンロードに関する手続きに要する時間は、データ転送速度が高速化されても解決されない。
【０００６】
このような不具合を解消するために、キヨスク端末からコンテンツを携帯情報端末にダウンロードするシステムが知られている（特許文献１を参照）。
この特許文献１に開示されたシステムでは、携帯情報端末が基地局を介してサーバへ事前にコンテンツのダウンロードの予約を行う。この際に携帯情報端末が、ダウンロードするためのキヨスク端末を指定する。またサーバは、携帯情報端末に対して識別子を発行する。サーバは、ダウンロードが予約されたコンテンツを指定されたキヨスク端末へダウンロードしておく。そして、携帯情報端末から上記識別子を用いて上記指定したキヨスク端末へアクセスすることで、このキヨスク端末からコンテンツをダウンロードする。
【０００７】
【特許文献１】
特開２００１−３３８１９５公報。
【０００８】
【発明が解決しようとする課題】
しかしながら、特許文献１に開示されたシステムによると、コンテンツを高速にダウンロード可能な場所は、予約の際に指定したキオスク端末と通信できる範囲に限定されてしまう。このため、予約の際に指定したキオスク端末と通信できる範囲に携帯情報端末のユーザが行くことができなかった場合には、コンテンツを高速にダウンロードすることができなかった。そしてこのような場合にコンテンツをダウンロードするためには、予約の変更を行わなければならず、その手続きに長時間が必要になってしまうという不具合があった。
【０００９】
本発明はこのような事情を考慮してなされたものであり、その目的とするところは、コンテンツのダウンロードを様々な場所にて短時間で行うことを可能とすることにある。
【００１０】
【課題を解決するための手段】
以上の目的を達成するために本発明は、移動通信装置からコンテンツサーバに対して第１の無線通信システムを介して所望コンテンツのダウンロード予約情報を送信し、このダウンロード予約情報を前記コンテンツサーバが受信する。前記移動通信装置から前記第２の通信システムを介して前記コンテンツサーバに前記所望コンテンツのダウンロード要求を送信し、このダウンロード要求を前記コンテンツサーバが受信する。前記コンテンツサーバが、受信されたダウンロード予約情報およびダウンロード要求に従って、前記所望コンテンツを前記第２の通信システムを介して前記移動端末装置に送信し、この所望コンテンツを前記移動通信装置が受信するようにした。
【００１１】
このような手段を講じたことにより、移動通信装置の第２のサービスエリア内への移動時にダウンロード要求が移動通信装置からコンテンツサーバに送られる。そうすると、上記のダウンロード要求の送受信に先立って第１の無線通信システムを介して移動通信装置からコンテンツサーバに送られたダウンロード予約情報と上記のダウンロード要求とに基づいて、コンテンツサーバから移動通信装置へコンテンツが送られる。従って、移動通信装置が第２のサービスエリア内へ移動した時に、事前の予約に従ってコンテンツサーバから移動通信端末へとコンテンツが自動的にダウンロードされる。
【００１２】
【発明の実施の形態】
以下、図面を参照して本発明の一実施形態につき説明する。
図１は本実施形態に係るコンテンツ予約配信システムの構成を示すブロック図である。
図１に示すコンテンツ予約配信システムは、携帯情報端末１およびコンテンツサーバ２を含む。このコンテンツ予約配信システムは、コンテンツサーバ２から携帯情報端末１へと、新聞、雑誌、音楽、ビデオ映像などのコンテンツを配信する。
【００１３】
携帯情報端末１は、第１の無線システム３に属する基地局４と無線通信することで第１の無線システム３にアクセス可能なインタフェース機能を有する。携帯情報端末１は、第２の無線システム５に属するアクセスポイント６と無線通信することで第２の無線システム５にアクセス可能なインタフェース機能を有する。第１の無線システム３の方が第２の無線システム５よりもサービス範囲が広いが、第２の無線システム５の方が第１の無線システム３よりもデータ転送速度が高い。第１の無線システム３は、ゲートウェイ７を介してインターネット８および認証・課金サーバ９に接続が可能である。第２の無線システム５は、プロキシサーバ１０を介してインターネット８に接続が可能である。コンテンツサーバ２は、インターネット８に接続されている。
【００１４】
第１の無線システム３としては、例えばセルラー電話システムが利用できる。ゲートウェイ７は、第１の無線システム３とインターネット８との間のプロトコル変換を行う。認証・課金サーバ９は、インターネット接続サービスのためのユーザ認証や課金処理を行う。第２の無線システム５としては、例えばＩＥＥＥ８０２．１１ｂに代表される無線ＬＡＮ（Ｌｏｃａｌ  Ａｒｉａ  Ｎｅｔｗｏｒｋ）やＩｒＤＡ（赤外線通信）が利用できる。プロキシサーバ１０は、インターネット８から第２の無線システム５へと転送されたコンテンツをキャッシュする。
【００１５】
図２は携帯情報端末１の構成を示すブロック図である。なお、図１と同一部分には同一符号を付している。
図２に示すように携帯情報端末１は、アンテナ１１、アンテナ共用器１２、第１の無線部１３、第２の無線部１４、配信予約部１５、完了通知受信部１６、配信要求部１７およびコンテンツ受信部１８を含む。
【００１６】
アンテナ１１は、到来した電波を電気信号に変換する。アンテナ共用器１２は、アンテナ１１の出力信号のうちの第１の無線システム３で使用される周波数帯域の信号成分を第１の無線部１３に入力し、また第２の無線システム５で使用される周波数帯域の信号成分を第２の無線部１４に入力する。アンテナ共用器１２は、第１の無線部１３および第２の無線部１４からの出力信号をそれぞれアンテナ１１に供給する。アンテナ１１は、このようにアンテナ共用器１２を介して供給された信号に応じた電波を放射する。第１の無線部１３は、第１の無線システム３に対応しており、基地局４との間で無線通信を行うための周知の処理を行う。第２の無線部１４は、第２の無線システム５に対応しており、アクセスポイント６との間で無線通信を行うための周知の処理を行う。
【００１７】
配信予約部１５は、所望コンテンツのダウンロードを予約するための予約情報を、第１の無線システム３を介してコンテンツサーバ２に対して送信するべく、第１の無線部１３に入力する。完了通知受信部１６は、コンテンツサーバ２が送信する予約完了通知を、第１の無線部１３の出力信号から取り出す。予約完了通知は、利用許諾情報およびＩＰアドレスを含む。配信要求部１７は、携帯情報端末１が第２の無線システム５のサービスエリア内へ移動した時に、コンテンツの配信開始を指示するための配信要求を、第２の無線システム５を介してコンテンツサーバ２に対して送信するべく、第２の無線部１４に入力する。配信要求部１７は、上記の配信要求に、完了通知受信部１６が受信した利用許諾情報を含める。コンテンツ受信部１８は、コンテンツサーバ２から第２の無線システムを介して送信されるコンテンツを、第２の無線部１４の出力信号から取り出す。
【００１８】
図３はコンテンツサーバ２の構成を示すブロック図である。なお、図１と同一部分には同一符号を付している。
図３に示すようにコンテンツサーバ２は、ネットワークインタフェース２１、予約受付部２２、予約完了通知部２３、配信要求受付部２４、コンテンツ送信部２５およびコンテンツ記憶部２６を含む。
【００１９】
ネットワークインタフェース２１は、インターネット８を介しての情報の送受信を行う。ネットワークインタフェース２１は、インターネット８を介して到来した情報を予約受付部２２および配信要求受付部２４へ入力する。ネットワークインタフェース２１は、予約完了通知部２３またはコンテンツ送信部２５が出力する情報をインターネット８へ送出する。
【００２０】
予約受付部２２は、携帯情報端末１から送信された予約情報を、ネットワークインタフェース２１が出力する情報から取り出す。予約受付部２２は、予約情報に基づいてコンテンツ配信の予約受付処理を行う。予約完了通知部２３は、予約受付部２２が予約受付処理を完了したことに応じて、予約完了通知を、第１の無線システム３を介して携帯情報端末１に対して送信するべく、ネットワークインタフェース２１に入力する。配信要求受付部２４は、携帯情報端末１から送信された配信要求を、ネットワークインタフェース２１が出力する情報から取り出す。配信要求受付部２４は、配信要求に含まれた利用許諾情報をコンテンツ送信部２５に入力する。コンテンツ送信部２５は、予約受付部２２で受け付けられた予約の内容および配信要求受付部２４から入力される利用許諾情報に基づいて、配信すべきコンテンツおよびそのコンテンツの配信先を判断する。コンテンツ送信部２５は、該当するコンテンツをコンテンツ記憶部２６から読み出して、このコンテンツを該当する配信先へと送信するべく、ネットワークインタフェース２１に入力する。
【００２１】
次に以上のように構成されたコンテンツ予約配信システムの動作につき説明する。
図４はコンテンツの予約配信のシーケンス図である。
コンテンツ配信の予約を行うことがユーザにより要求されたならば、携帯情報端末１はコンテンツサーバ２へのアクセスを第１の無線システム３へ要求する（Ｓ１）。そうすると第１の無線システム３は、認証・課金サーバ９に対して認証・課金を要求する（Ｓ２）。この要求に応じて認証・課金サーバ９は、携帯情報端末１がコンテンツサーバ２にアクセスする権限を有するかどうかを認証するとともに、課金処理を行う（Ｓ３）。課金は、アクセス回数に応じた重量課金や月当たりでの定額課金などを行うことができる。認証・課金サーバ９を運用する事業者は、コンテンツサーバ２を運用する事業者と同一である必要はない。例えば、第１の無線システム３を運用する通信事業者が認証・課金サーバ９をも運用して、当該通信事業者がコンテンツ提供事業者に代行して、ユーザからコンテンツへのアクセス料金を徴収する仕組みを用いることができる。
【００２２】
認証・課金サーバ９は、認証・課金処理の結果を示した認証・課金応答を第１の無線システム３へ返す（Ｓ４）。この認証・課金応答に基づいて認証・課金が正常に行えたことが確認できたならば第１の無線システム３は、コンテンツサーバ２をインターネット８を介して呼び出す（Ｓ５）。なお、図示は省略しているが、認証・課金に異常があったことを確認したならば第１の無線システム３は、コンテンツサーバ２へのアクセスを拒否する。
【００２３】
コンテンツサーバ２は、第１の無線システム３からの呼出しを受けたならば、これに対する応答を返す（Ｓ６）。この応答は、上記Ｓ１におけるアクセス要求に対する応答として第１の無線システム３により携帯情報端末１へ転送される（Ｓ７）。これにより、携帯情報端末１とコンテンツサーバ２とが第１の無線システム３およびインターネット８を介して通信可能となる。
【００２４】
この後に携帯情報端末１では配信予約部１５が、予約情報をコンテンツサーバ２へ送る。予約情報は、所望コンテンツを指定する情報などを含む。予約情報は、ユーザによる入力情報などに基づいて携帯情報端末１で生成される。予約情報がコンテンツサーバ２に到達すると、この予約情報は予約受付部２２により取り出される。予約受付部２２は、予約者を識別するためのユーザＩＤおよびコンテンツ獲得用の認証鍵を発行し、このユーザＩＤおよび認証鍵を、予約情報で指定された所望コンテンツに対して付与されているコンテンツＩＤと対応付けて利用許諾情報を生成する。この上でコンテンツサーバ２では予約完了通知部２３が、携帯情報端末１へ予約完了通知を送信する（Ｓ９）。予約完了通知部２３は、上記の予約完了通知には、利用許諾情報およびＩＰアドレスを含める。なおＩＰアドレスは、コンテンツのダウンロード時にコンテンツサーバ２にアクセスするために割り当てられたものである。予約完了通知が携帯情報端末１に到達すると、この予約完了通知は完了通知受信部１６で取り出される。完了通知受信部１６は上記の予約完了通知に含まれた利用許諾情報およびＩＰアドレスを記憶する。
【００２５】
さて、このように利用許諾情報およびＩＰアドレスが記憶された携帯情報端末１では、現在位置が第２の無線システム５のサービスエリア内であるか否かを配信要求部１７が監視している（Ｓ１０）。配信要求部１７は、第１の無線システム３を用いることにより、携帯情報端末１の位置と、第２の無線システム５のサービスエリアとを把握することができる。携帯情報端末１の位置は、第１の無線システム３に属する複数の基地局４からの送信される情報に基づいて算出することが可能である。また、ＧＰＳ（Ｇｌｏｂａｌ  Ｐｏｓｉｔｉｏｎｉｎｇ  Ｓｙｓｔｅｍ）機能を備えて、このＧＰＳ機能を利用して位置情報を知ることも可能である。携帯情報端末１の位置と第２の無線システム５のサービスエリアとの重ねあわせは、第１の無線システム３を運用する通信事業者側で行うことも可能であるし、携帯情報端末１側で自己学習を行うことも可能である。携帯情報端末１で自己学習する場合は、１回以上、携帯情報端末１のユーザが、第２の無線システム５のサービスエリア内で、アクセスポイント６との通信を開始させる必要がある。なお、配信要求部１７は、例えばプロセッサにアプリケーションプログラムを実行させることにより実現が可能であるが、この場合にはアプリケーションプログラムを継続的に実行している必要がある。継続して実行している本プログラムは、携帯情報端末１で動作しているＯＳ（Ｏｐｅｒａｔｉｎｇ  Ｓｙｓｔｅｍ）あるいはミドルウェアであっても良い。
【００２６】
図１に示すように携帯情報端末１が移動し、第２の無線システム５のサービスエリア内に入ったならば、このことを配信要求部１７が検出する。そしてこの場合に配信要求部１７が、完了通知受信部１６が記憶しているＩＰアドレスへのアクセスを第２の無線システム５へ要求する（Ｓ１１）。そうすると第２の無線システム５は、指定されたＩＰアドレスに対して、プロキシサーバ１０およびインターネット８を介して呼出しを行う（Ｓ１２）。上記のＩＰアドレスはコンテンツサーバ２に割り当てられたものであるから、上記の呼出しはコンテンツサーバ２に対して行われることになる。
【００２７】
コンテンツサーバ２は、第２の無線システム５からの呼出しを受けたならば、これに対する応答を返す（Ｓ１３）。この応答は、上記Ｓ１１におけるアクセス要求に対する応答として第２の無線システム５により携帯情報端末１へ転送される（Ｓ１４）。これにより、携帯情報端末１とコンテンツサーバ２とが第２の無線システム５、プロキシサーバ１０およびインターネット８を介して通信可能となる。
【００２８】
この後に携帯情報端末１では配信要求部１７が、配信要求をコンテンツサーバ２へ送る（Ｓ１５）。配信要求部１７は、上記の配信要求には、完了通知受信部１６が記憶している利用許諾情報を含める。配信要求がコンテンツサーバ２に到達すると、この配信要求は配信要求受付部２４により取り出される。配信要求受付部２４は、上記の配信要求に含まれた利用許諾情報などから、どの予約に関しての配信の要求がなされているかを確認し、予約されているコンテンツをコンテンツ記憶部２６から読み出して携帯情報端末１へ送信する（Ｓ１６）。コンテンツが携帯情報端末１に到達すると、このコンテンツはコンテンツ受信部１８により受信される。
【００２９】
なお、コンテンツサーバ２から携帯情報端末１へとダウンロードするべきコンテンツをプロキシサーバ１０がキャッシュしている場合には、プロキシサーバ１０から携帯情報端末１へとコンテンツを送信しても良い。
【００３０】
以上のように本実施形態によれば、データ転送速度が低いが広範囲で通信可能な第１の無線システム３を用いて、携帯情報端末１からコンテンツサーバ２へと事前にコンテンツの配信を予約しておけば、高速なデータ通信が可能な第２の無線システム５のサービスエリア内に移動した際に、第２の無線システム５の高いデータ転送速度を利用してコンテンツのダウンロードが自動的に行われる。従って、コンテンツのダウンロードを短時間で行うことが可能である。そして本実施形態によれば、ダウンロードする場所や端末を指定しないので、第２の無線システム５のサービスエリア内であればどこでもコンテンツをダウンロードすることができるので、特許文献１に開示された技術に比べて、より自由な場所にてコンテンツのダウンロードを実行することができる。
【００３１】
この実施形態は、次のような種々の変形実施が可能である。
第１の無線システム３は、例えばＰＨＳ（Ｐｅｒｓｏｎａｌ  Ｈａｎｄｙ  Ｐｈｏｎｅ  Ｓｙｓｔｅｍ）のような、広範囲にサービスが可能な無線システムであれば適用可能である。また、第２の無線システム５は、例えば、ＩＥＥＥ８０２．１１ａやＩＥＥＥ８０２．１１ｇなどの無線ＬＡＮ、あるいは現時点で標準化がなされていないＵＷＢ（Ｕｌｔｒａ  Ｗｉｄｅ−Ｂａｎｄ）などの無線ＰＡＮ（Ｐｅｒｓｏｎａｌ  Ａｒｉａ  Ｎｅｔｗｏｒｋ）のような、データ転送速度が高い他のシステムを適用可能である。
【００３２】
利用許諾情報に含める情報は、任意に変更が可能である。例えば、ユーザＩＤとして端末ＩＤなどのような携帯情報端末１の固有情報を用いるようにするならば、利用許諾情報にユーザＩＤを含めないようにしても良い。また、予約番号などにより予約を識別することとするならば、予約番号のみで利用許諾情報を構成することも可能である。また、端末ＩＤなどのような携帯情報端末１の固有情報を用いて予約を識別することとするならば、利用許諾情報を携帯情報端末１へ送らないようにすることもできる。
【００３３】
ＩＰアドレスに代えて、ＵＲＬ（Ｕｎｉｆｏｒｍ  Ｒｅｓｏｕｒｃｅ  Ｌｏｃａｔｏｒｓ）のような別の種類のアドレス情報を携帯情報端末１へと通知するようにしても良い。また、予約時とダウンロード時とでコンテンツサーバ２にアクセスするためのアドレスを共通とするならば、そのアドレスを携帯情報端末１へ事前に登録しておくか、あるいは予約時に取得したアドレスを携帯情報端末１へ記憶しておくようにすれば、予約完了通知にてアドレスの通知を行わないようにすることもできる。
【００３４】
プロキシサーバ１０は設けなくても良い。しかしながら、駅において新聞をダウンロードするような場合を考えると、多くのユーザが同じコンテンツをダウンロードするので、プロキシサーバ１０でコンテンツをキャッシュしておく方がインターネットに負荷をかけず、効率が良い。
【００３５】
携帯情報端末１からコンテンツサーバ２に直接的にアクセスするのではなく、ポータルサイトにアクセスする形態とすることもできる。第１の無線システム３を運用する通信事業者側、すなわち、ゲートウェイ７側にポータルサイト用サーバを置くことにより、コンテンツ毎に課金を行うことも可能となる。
【００３６】
利用許諾情報とＩＰアドレスは、ポータルサイトから携帯情報端末１へと送信する形態とすることも可能である。
【００３７】
また、コンテンツサーバ２にて、クレジットカード番号や定額の自動引き落としなどによる課金、すなわち、ＩＤとパスワードとをインターネットでやり取りすることによる課金方法ももちろん可能である。
【００３８】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３９】
【発明の効果】
本発明によれば、移動通信装置が第２のサービスエリア内へ移動した時に、事前の予約に従ってコンテンツサーバから移動通信端末へとコンテンツが自動的にダウンロードされることととなり、コンテンツのダウンロードを様々な場所にて短時間で行うことが可能となる。
【図面の簡単な説明】
【図１】本発明の一実施形態に係るコンテンツ予約配信システムの構成を示すブロック図。
【図２】図１中の携帯情報端末１の構成を示すブロック図。
【図３】図１中のコンテンツサーバ２の構成を示すブロック図。
【図４】コンテンツの予約配信のシーケンス図。
【符号の説明】
１…携帯情報端末、２…コンテンツサーバ、３…第１の無線システム、４…基地局、５…第２の無線システム、６…アクセスポイント、７…ゲートウェイ、８…インターネット、９…認証・課金サーバ、１０…プロキシサーバ、１１…アンテナ、１２…アンテナ共用器、１３…第１の無線部、１４…第２の無線部、１５…配信予約部、１６…完了通知受信部、１７…配信要求部、１８…コンテンツ受信部、２１…ネットワークインタフェース、２２…予約受付部、２３…予約完了通知部、２４…配信要求受付部、２５…コンテンツ送信部、２６…コンテンツ記憶部。
【図１】
2005026977.tif 000003
【図２】
2005026977.tif 000004
【図３】
2005026977.tif 000005
【図４】
2005026977.tif 000006